(57)【特許請求の範囲】
【請求項１】
柄部材に取付可能な基部および基部に両端が連結された環状の枠部を有する本体と、
糸部材を編むことにより開口部を有する袋状に形成され、当該開口部の周縁部を構成する糸部材が上記枠部に取り付けられた網部材とを備え、
上記基部は、上記開口部の周縁部を構成する糸部材を当該基部に固定するための固定部材と、当該固定部材を当該基部に対して面一状態に収容する固定部材収容部とを有することを特徴とするタモ網。
【請求項２】
請求項１記載のタモ網において、
上記枠部は、上記基部に対向する位置に上記開口部の周縁部を構成する糸部材を固定する糸部材固定部を備えており、
当該糸部材固定部は、上記開口部の周縁部を構成する糸部材を当該糸部材固定部に固定するための第２の固定部材と、当該第２の固定部材を当該糸部材固定部に対して面一状態に収容する第２の固定部材収容部とを有することを特徴とするタモ網。
【請求項３】
請求項２記載のタモ網において、
上記基部と枠部との境界部および上記糸部材固定部と枠部との境界部の少なくとも一方は、テーパ面により連続されていることを特徴とするタモ網。
【発明の詳細な説明】
【０００１】
【発明の属する技術の分野】
この発明は、魚釣りの際に魚をすくい上げるために用いるタモ網の構造に関するものである。
【０００２】
【従来の技術】
たとえば磯釣り等では、釣った魚を取り込むためにタモ網が使用される。一般的なタモ網の構造は、図５に示すようなものである。同図を参照して、タモ網１は、本体２と、これに取り付けられた網３とを有する。なお、実際にタモ網１を使用するときは、タモ網１を柄４に取り付けるようになっている。
【０００３】
本体２は、柄４に取り付けるためのジョイント部５と、これに固着された環状の枠部６とを有している。一方、網３は、ナイロン糸等の糸部材により編み上げられており、上端部に大径の開口部７を有する袋状のものである。この開口部７の周縁部は、タモ網１を構成する糸部材によって吊着部８が複数形成されている。各吊着部８は、網３を枠部６に取り付けるために環状に形成されており、この環状に形成された吊着部５を順次枠部６に挿通することにより、図に示すようなタモ網１が構成される。
【０００４】
ところで、かかる構造を有するタモ網１では、網３の吊着部８を単に枠部６に挿通しているだけであるので、網３が枠部６に対して固定されておらず、網３が枠部６に対して自在に移動してしまう。このため、網３が枠部６の一部分に偏ってしまう場合があり、使い勝手が悪くなる。特に枠部６が折り畳み式のものであれば、折り畳んだときに当該屈曲部に極端に網３が偏ってしまうこともあり、これでは、再度枠部６を展開してタモ網１を柄４にセットする際に、一々吊着部８を枠部６に対して均等に配置しなければならないという問題があった。
【０００５】
この問題を避けるために従来では、図６に示すように、枠部６の一部に係止部材９を設けたものがある（特開平１１−１５１０５３号公報参照）。この係止部材９は、たとえばゴム等により環状に構成されており、その緊迫力によって枠部６に固定されている。そして、この係止部材９の緊迫力を利用して網３の吊着部８を枠部６に固定する。これにより、網３の枠部６に対する自由な移動が規制され、網３の偏りを防止することができる。
【０００６】
【発明が解決しようとする課題】
しかし、かかる構造にすると、係止部材９によって枠部６に突起部１０（出っ張り）が形成されてしまう。このため、タモ網１により魚を掬う際に、釣糸が突起部１０に引っ掛かり、場合によっては釣糸が切れてしまうおそれがある。
【０００７】
そこで、本発明の目的は、網の偏りや使用時の釣糸等の引っ掛かりを防止した使い勝手のよいタモ網を提供することである。
【０００８】
【課題を解決するための手段】
上述のように、磯釣り等において使用するタモ網を使い勝手のよいものにするためには、使用中に釣糸等の引っ掛かりをなくす必要があり、そのためには、釣糸等の引っ掛かりの原因となる枠部の出っ張り（突起部）をなくすことである。
【０００９】
そこで、本願第１の発明に係るタモ網は、柄部材に取付可能な基部および基部に両端が連結された環状の枠部を有する本体と、糸部材を編むことにより開口部を有する袋状に形成され、当該開口部の周縁部を構成する糸部材が上記枠部に取り付けられた網部材とを備え、上記基部は、上記開口部の周縁部を構成する糸部材を当該基部に固定するための固定部材と、当該固定部材を当該基部に対して面一状態に収容する固定部材収容部とを有することを特徴とするものである。
【００１０】
この構成によれば、網部材は、その開口部の周縁部を構成する糸部材を順に枠部に挿通することにより、枠部に吊り下げられた状態で取り付けられる。そして、当該開口部の周縁部を構成する糸部材は、固定部材によって基部に固定される。しかも、この固定部材は、基部に形成された固定部材収容部に収容されるから、基部と固定部材とが面一状態となる。
【００１１】
ここで、本体に別途基部を設けたことにより、次のような作用を奏する。すなわち、一般に本体を構成する環状の枠部はその外径が小さく（５ｍｍ程度）、また、枠部をパイプ状部材により構成する場合にはその肉厚もきわめて薄くなるため、当該枠部に直接孔を開ける等の加工を施すことは枠部の強度の低下を考慮するときわめて困難である。したがって、枠部に固定部材収容部を直接設けるのは、実際の設計上不可能である。これに対して、本発明では、上記基部を別途設け、この基部に固定部材収容部を形成しているので、枠部の強度低下を招くことなく固定部材を面一状態で取り付けることができる。
【００１２】
また、本願第２の発明に係るタモ網は、上記第１の発明に係るタモ網において、上記枠部は、上記基部に対向する位置に上記開口部の周縁部を構成する糸部材を固定する糸部材固定部を備えており、当該糸部材固定部は、上記開口部の周縁部を構成する糸部材を当該糸部材固定部に固定するための第２の固定部材と、当該第２の固定部材を当該糸部材固定部に対して面一状態に収容する第２の固定部材収容部とを有することを特徴とするものである。
【００１３】
この構成によれば、さらに、上記基部に対向する位置において、網部材の開口部の周縁部を構成する糸部材を第２の固定部材によって糸部材固定部に固定することができる。しかも、この第２の固定部材は、糸部材固定部に形成された第２の固定部材収容部に収容されるから、基部と第２の固定部材とが面一状態となる。
【００１４】
ここで、本発明においても、上記第１の発明と同様に、枠部に直接に第２の固定部材収容部を設けるのではなく、糸部材固定部を設けて、これに第２の固定部材収容部を設けている。これにより、第１の発明と同様に、枠部の強度低下を招くことなく第２の固定部材を面一状態で取り付けることができる。
【００１５】
さらに、本願第３の発明に係るタモ網は、上記第２の発明に係るタモ網において、上記基部と枠部との境界部および上記糸部材固定部と枠部との境界部の少なくとも一方は、テーパ面により連続されていることを特徴とするものである。
【００１６】
この構成によれば、さらに、上記基部と枠部との境界部および上記糸部材固定部と枠部との境界部に段差が生じるのを避けることができる。
【００１７】
【発明の実施の形態】
以下、本発明の実施の形態について説明する。
【００１８】
図１は、本発明の一実施形態に係るタモ網の構造を示す斜視図である。
【００１９】
同図を参照して、タモ網２０は、たとえば磯釣り等に使用されるものであり、仕掛けに掛かった魚を取り込むために、魚を掬い上げるものである。
【００２０】
タモ網２０は、略円形の本体２１と、これに吊り下げた状態で取り付けられた網２２（網部材）とを有する。タモ網２０を実際に使用するときは、本体２１を柄２３（柄部材）に取り付け、柄２３を操作することにより網２２で魚を掬う。
【００２１】
本体２１は、柄２３に取り付けるための基部２４と、これに取り付けられた環状の枠部２５とを有している。
【００２２】
網２２は、従来と同様の構成であり、ナイロン糸等の糸部材２６により編み上げて構成されている。網２２は、図１に示すように、上端側に大径の開口部２７を有し、全体として袋状に形成されている。そして、網２２は、開口部２７の周縁部２８を構成する糸部材２９が枠部２５に引っ掛けられることにより、本体２１に取り付けられている。具体的には、たとえば上記周縁部２８は、複数の環状に形成された糸部材２９により構成することができ、各糸部材２９を順に枠部２５に挿通することにより、網２２を枠部２５に吊り下げた状態で取り付けることができる。
【００２３】
本実施形態の特徴とするところは、上記網２２が枠部２５に固定リング３０（固定部材）を用いて固定されている点、および固定リング３０は、本体２１に対していわゆる面一状態で取り付けられており、釣りの際に釣糸等が引っ掛かるような突起部分（出っ張り）を有していない点である。以下、本体２１について詳しく説明する。
【００２４】
図２は、図１におけるＡ−Ａ要部矢視図であって、本体２１の基部２４の構造を示している。また、図３は、この基部２４の拡大分解斜視図である。なお、図３では、網２２は省略している。
【００２５】
図２および図３を参照して、まず、基部２４は、略Ｔ字状に形成された部材であって、枠部２５が連結される連結部３１と、連結部３１の中央に延設されたねじ軸部３２と、連結部３１に備えられた固定リング３０とを有する。これら連結部３１およびねじ軸部３２は、たとえばステンレス鋼やチタン合金等の金属の他、合成樹脂等により構成することができる。
【００２６】
連結部３１は、円柱状の大径部３３と、大径部３３の両端に連続して形成された縮径部３４とを備える。そして、大径部３３の中央部に、当該大径部３３の軸方向に直交する方向に沿って上記ねじ軸部３２が形成されている。なお、このねじ部３２は、上記柄２３の先端部３５（図１参照）に形成された雌ねじ部（図示せず）にねじ込むことができるようになっている。
【００２７】
大径部３３の端部側には、２つの溝部３６（固定部材収容部）が形成されている。この溝部３６は、ねじ軸部３２の中心軸線を中心として、両側に振り分けられた位置に対象に配置されている。この溝部３６は、固定リング３０を収容するためのものであり、その幅寸法および深さ寸法は、固定リング３０の外形形状に対応されている。すなわち、固定リング３０を溝部３６に嵌め込んだ状態では、固定リング３０がぴったりと溝部３６に収容されるようになっており、しかも、固定リング３０の外周面は、大径部３３の外周面と面一状態となるようになっている。
【００２８】
固定リング３０は、たとえばゴム等に構成することができ、予め大径部３３に装着しておくことができる。もっとも、固定リング３０を合成樹脂等により構成し、その一部を径方向に切断しておくことにより、装着時に固定リング３０を拡開して大径部３３に嵌め込むこともできる。
【００２９】
縮径部３４は、大径部３３に連続して形成されている。つまり、縮径部３４の最大径は、大径部３３の外径に一致し、縮径部３４の最小径は、枠部２５を構成する棒部材３７の外径に略一致されている。そして、これら最大径部分と最小径部分とはテーパ面３８により連続されている。
【００３０】
次に、再び図１を参照して、枠部２５は、円形に形成された棒部材３７と、糸部材固定部３９とを有している。枠部２５は、上記連結部３１と同様に、たとえばステンレス鋼やチタン合金等の金属の他、合成樹脂等により構成することができる。
【００３１】
棒部材３７は、断面が円形の部材であって、これを円形に湾曲形成したものである。そして、図２に示すように、棒部材３７の両端部４３が連結部３１の両端部、すなわち縮径部３４の端面に固着されている。縮径部３４と棒部材３７との固着は、溶接や接着剤等により行うことができる。したがって、枠部２５を構成する棒部材３７と基部３１との境界部分には段差が形成されることなく、滑らかに連続された構造となっている。
【００３２】
図４は、図１におけるＡ−Ａ要部矢視図であって、糸部材固定部３９の構造を示している。同図を参照して、本実施形態では、この棒部材３７の中央部、すなわち、上記基部３１と対向した位置に糸部材固定部３９が形成されている。糸部材固定部３９と棒部材３７とは、一体的に形成することもできるし、両者を溶接等により固着することもできる。糸部材固定部３９は、上記連結部３１と同様の構成であり、円柱状の大径部４０と、大径部４０の両端に連続して形成された縮径部４１と、大径部４０に設けられた固定リング４２（第２の固定部材）とを備える。これら大径部４０，縮径部４１および固定リング４２は、それぞれ上述の大径部３３，縮径部３４および固定リング３０と同様の構成であるので、その説明は省略する。したがって、枠部２５を構成する棒部材３７と糸部材固定部３９との境界部分には段差が形成されることなく、滑らかに連続された構造となっている。
【００３３】
以上のような構成を有するタモ網２０によれば、次のような作用効果を奏する。  まず、網２２は、その開口周縁部２８を構成する糸部材２９を順に枠部２５の棒部材３７に挿通することにより、枠部２５に吊り下げられた状態で取り付けられる。そして、基部２４の位置に対応する位置に配置された糸部材２９は、連結部３１に形成された溝部３６に挿入され、その上から固定リング３０を溝部３６に嵌め込む。これによって、固定リング３０の緊迫力によって糸部材２９は基部２４に挟み込まれた状態で固定され、タモ網２０の使用中等において網２２の偏り等を防止することができる。しかも、この固定リング３０と基部２４とは面一状態となるから、タモ網２０の使用中に釣糸等が基部２４や枠部２５等に引っ掛かる等の不都合を排除することができる。
【００３４】
さらに、本実施形態では、本体２１に別途基部２４を設け、この基部２４に対して糸部材２９を固定するから、次のような作用効果を奏する。すなわち、一般にタモ網は、その操作性を向上させるために本体をできるだけ軽量に構成するのが好ましい。このため、本実施形態では、枠部２５を構成する棒部材３７は、その外径が小さい（たとえば５ｍｍ）無垢の棒状部材を採用している。このため、固定リング３０を嵌め込むための溝部３６を直接棒部材３７に形成することは、強度上の問題から実現は困難である。しかし、上記基部２４を設けているので、枠部２５の強度低下を招くことなく固定リング３０を面一状態で取り付けることができるという利点がある。
【００３５】
このように本実施形態に係るタモ網２０は、釣糸等の引っ掛かりや網２２の偏りを防止して、非常に使い勝手の良いものとなる。特に、枠部２５がヒンジ構造等を有する折り畳み式のものである場合においては、タモ網２０の保管時（折り畳み時）においても網２２の極端な偏りを防止することができる。
【００３６】
また、本実施形態では、基部２４に対向する位置に糸部材固定部３９を設けているので、当該位置においても糸部材２９を固定し、網２２の偏り等を確実に防止することができるという利点がある。しかも、この糸部材固定部３９と枠部２５との境界部分にも段差をなくして両者を滑らかに連続させているので、タモ網２０の使用中に釣糸等が引っ掛かる等の不都合をなくすことができる。加えて、糸部材固定部３９を設けることにより、上述の基部２４を別途設けることによる作用と同様の作用を奏し、枠部２５の強度低下を招くことなく固定リング３０を面一状態で取り付けることができるという利点がある。
【００３７】
なお、本実施形態では、糸部材固定部３９の構成を、上記連結部３１の構成と同様のものとしたが、他の構造とすることもできる。たとえば、本実施形態では、糸部材固定部３９の２カ所において糸部材２９を固定するようにしたが（図４参照）、糸部材固定部３９の寸法を小さくして、糸部材２９を１カ所で固定するようにすることもできる。また、糸部材固定部３９そのものをなくした構造にすることもできる。
【００３８】
さらに、基部２４側の大径部３３に２つの溝部３６を設け、２カ所において糸部材２９を固定するようにしたが、この２カ所に限定されることはなく、１カ所でもよいし、また３カ所以上でもよい。
【００３９】
【発明の効果】
以上のように本願発明によれば、網部材を構成する糸部材が固定部材によって基部に固定されるから、枠部の強度低下を招くことなく枠部に対して網部材を固定することができる。しかも、この固定部材は基部と面一状態で配置されるから、枠部に対していわゆる出っ張り部分が生じることがなく、タモ網の使用中に釣糸等が引っ掛かる等の不都合を排除することができる。その結果、非常に使い勝手の良いタモ網を提供することができる（請求項１に係る発明）。
【００４０】
また、上記基部に対向する位置においても、網部材の開口周縁部を構成する糸部材を固定することができるので、釣糸等の引っ掛かり等の不都合を排除して一層使い勝手の良いタモ網を提供することができる（請求項２に係る発明）。
【００４１】
さらに、上記基部と枠部との境界部および上記糸部材固定部と枠部との境界部の段差をなくすことにより、当該部位において釣糸等の引っ掛かり等を防止して、なお一層使い勝手の良いタモ網を提供することができる（請求項３に係る発明）。
【図面の簡単な説明】
【図１】本発明の一実施形態に係るタモ網の構造を示す斜視図である。
【図２】図１におけるＡ−Ａ要部矢視図であって、本体の基部の構造を示す図である。
【図３】本発明の一実施形態に係る基部の拡大分解斜視図である。
【図４】図１におけるＡ−Ａ要部矢視図であって、糸部材固定部の構造を示す図である。
【図５】従来の一般的なタモ網の構造を示す斜視図である。
【図６】従来のタモ網の要部拡大図である。
【符号の説明】
２０  タモ網
２１  本体
２２  網
２３  柄
２４  基部
２５  枠部
２６  糸部材
２７  開口部
２８  周縁部
２９  糸部材
３０  固定リング
３１  連結部
３３  大径部
３４  縮径部
３６  溝部
３７  棒部材
３８  テーパ面
３９  糸部材固定部
４０  大径部
４１  縮径部
４２  固定リング
【図１】
0004521692.tif 000002
【図２】
0004521692.tif 000003
【図３】
0004521692.tif 000004
【図４】
0004521692.tif 000005
【図５】
0004521692.tif 000006
【図６】
0004521692.tif 000007